【手続補正書】
【提出日】平成18年3月15日(2006.3.15)
【手続補正１】
【補正対象書類名】明細書
【補正対象項目名】特許請求の範囲
【補正方法】変更
【補正の内容】
【特許請求の範囲】
【請求項１】
静止画情報を含むコンテンツ情報が、パケット単位で記録される情報記録媒体であって、
前記コンテンツ情報の断片を夫々格納するパケットを含む複数のパケットからなるオブジェクトデータを格納するオブジェクトデータファイルと、
前記オブジェクトデータの再生シーケンスを規定する再生シーケンス情報を格納する再生シーケンス情報ファイルと
を備えており、
前記オブジェクトデータを構成する複数のパケットは、前記静止画情報及び前記静止画情報の表示を制御するための静止画制御情報のうち少なくとも一方を含む静止画情報セットの断片を、夫々格納するパケットを含み、
少なくとも一部の静止画情報については、前記静止画情報セットのうち一の静止画情報セットに含まれる静止画情報に対する表示制御が、前記静止画情報セットのうち他の静止画情報セットに含まれる静止画制御情報により記述されていることを特徴とする情報記録媒体。
【請求項２】
前記静止画情報セットは、(i)前記静止画情報、前記静止画制御情報及び前記静止画情報セットの構造を示す構造情報の三者を含む第１の静止画情報セット、(ii)前記静止画制御情報及び前記構造情報の二者を含むと共に前記静止画情報を含まない第２の静止画情報セット、並びに(iii)前記静止画情報及び前記構造情報の二者を含むと共に前記静止画制御情報を含まない第３の静止画情報セットのうち、該第１及び第３の静止画情報セットの少なくとも一方と前記第２の静止画情報セットとを含んでなることを特徴とする請求項１に記載の情報記録媒体。
【請求項３】
前記第１及び第３の静止画情報セットの少なくとも一方に含まれる静止画情報に対する表示制御が、前記第２の静止画情報セットに含まれる静止画制御情報により記述されていることを特徴とする請求項２に記載の情報記録媒体。
【請求項４】
前記第１及び第３の静止画情報セットの少なくとも一方に含まれる静止画情報に対する表示制御が、複数の前記第２の静止画情報セットに含まれる複数の静止画制御情報により、相異なる複数の表示制御を行うように夫々記述されていることを特徴とする請求項２に記載の情報記録媒体。
【請求項５】
前記構造情報を格納するパケットは、前記静止画情報セットに係る複数のパケットの中で先頭に配置されることを特徴とする請求項２から４のいずれか一項に記載の情報記録媒体。
【請求項６】 前記オブジェクトデータは、前記コンテンツ情報から夫々構成される複数の部分ストリームを含んでなる全体ストリームが、前記パケット単位で多重化されてなり、前記静止画情報セットは、前記静止画情報セット用の一又は複数の部分ストリームとして前記オブジェクトデータに含まれることを特徴とする請求項１から５のいずれか一項に記載の情報記録媒体。
【請求項７】
前記対応定義情報は、各部分ストリームを構成すると共に所定条件を満たすパケットに係る連続番号とこれに対応する表示開始時刻とを含んでなるアドレス情報を、前記複数の部分ストリーム別に有することを特徴とする請求項６に記載の情報記録媒体。
【請求項８】
前記対応定義情報は、前記部分ストリームを構成する複数のパケットのうち前記アドレス情報で位置が特定されるパケットのみの並びにおいて相隣接する二つのパケットにより特定されるエントリー区間に、前記静止画情報を含む静止画情報セットの先頭パケットが存在するか否かを示すフラグと、前記エントリー区間に、前記静止画制御情報を含む静止画情報セットの先頭パケットが存在するか否かを示すフラグとを含むことを特徴とする請求項７に記載の情報記録媒体。
【請求項９】
前記コンテンツ情報がＭＰＥＧ２（Ｍｏｖｉｎｇ Ｐｉｃｔｕｒｅ Ｅｘｐｅｒｔｓ Ｇｒｏｕｐ ｐｈａｓｅ ２）規格に基づく映像情報を含んでなる場合に、前記アドレス情報は、Ｉピクチャに係るパケットの連続番号とこれに対応する表示開始時刻とを含んでなることを特徴とする請求項７又は８に記載の情報記録媒体。
【請求項１０】
前記コンテンツ情報として、一連のコンテンツをなす前記静止画情報を含む複数のコンテンツ情報が前記パケット単位で多重記録され、
前記オブジェクトデータの再生を制御するための再生制御情報として、前記多重化される複数のパケットと前記複数のコンテンツ情報との対応関係を定義する対応定義情報を格納するオブジェクト情報ファイルを備え、
前記静止画情報セットは、前記静止画情報セットの構造を示す構造情報を含むことを特徴とする請求項１に記載の情報記録媒体。
【請求項１１】
情報記録媒体上に、静止画情報を含むコンテンツ情報を、パケット単位で記録する情報記録装置であって、
前記コンテンツ情報の断片を夫々格納するパケットを含む複数のパケットからなるオブジェクトデータを格納するオブジェクトデータファイルを記録する第１記録手段と、
前記オブジェクトデータの再生シーケンスを規定する再生シーケンス情報を格納する再生シーケンス情報ファイルを記録する第２記録手段と
を備えており、
前記オブジェクトデータを構成する複数のパケットは、前記静止画情報及び前記静止画情報の表示を制御するための静止画制御情報のうち少なくとも一方を含む静止画情報セットの断片を、夫々格納するパケットを含み、
少なくとも一部の静止画情報については、前記静止画情報セットのうち一の静止画情報セットに含まれる静止画情報に対する表示制御が、前記静止画情報セットのうち他の静止画情報セットに含まれる静止画制御情報により記述されていることを特徴とする情報記録装置。
【請求項１２】
情報記録媒体上に、静止画情報を含むコンテンツ情報を、パケット単位で記録する情報記録方法であって、
前記コンテンツ情報の断片を夫々格納するパケットを含む複数のパケットからなるオブジェクトデータを格納するオブジェクトデータファイルを記録する第１記録工程と、
前記オブジェクトデータの再生シーケンスを規定する再生シーケンス情報を格納する再生シーケンス情報ファイルを記録する第２記録工程と
を備えており、
前記オブジェクトデータを構成する複数のパケットは、前記静止画情報及び前記静止画情報の表示を制御するための静止画制御情報のうち少なくとも一方を含む静止画情報セットの断片を、夫々格納するパケットを含み、
少なくとも一部の静止画情報については、前記静止画情報セットのうち一の静止画情報セットに含まれる静止画情報に対する表示制御が、前記静止画情報セットのうち他の静止画情報セットに含まれる静止画制御情報により記述されていることを特徴とする情報記録方法。
【請求項１３】
請求項１から１０のいずれか一項に記載の情報記録媒体から前記記録されたコンテンツ情報を再生する情報再生装置であって、
前記情報記録媒体から情報を読み取る読取手段と、
該読取手段により読み取られた情報に含まれる前記再生シーケンス情報に基づいて、前記読取手段により読み取られた情報に含まれる前記オブジェクトデータを再生する再生手段と
を備えたことを特徴とする情報再生装置。
【請求項１４】
前記再生手段は、前記静止画情報及び前記静止画制御情報の少なくとも一方をバッファに一時的に格納し、前記他の静止画情報セットに含まれる静止画制御情報に基づいて、前記一の静止画情報セットに含まれる静止画情報に対する表示制御を実行することを特徴とする請求項１３に記載の情報再生装置。
【請求項１５】
請求項１から１０のいずれか一項に記載の情報記録媒体から前記記録されたコンテンツ情報を再生する情報再生方法であって、
前記情報記録媒体から情報を読み取る読取工程と、
該読取工程により読み取られた情報に含まれる前記再生シーケンス情報に基づいて、前記読取工程により読み取られた情報に含まれる前記オブジェクトデータを再生する再生工程と
を備えたことを特徴とする情報再生方法。
【請求項１６】
請求項１１に記載の情報記録装置に備えられたコンピュータを制御する記録制御用のコンピュータプログラムであって、該コンピュータを、前記第１記録手段及び前記第２記録手段の少なくとも一部として機能させることを特徴とする記録制御用のコンピュータプログラム。
【請求項１７】
請求項１３又は１４に記載の情報再生装置に備えられたコンピュータを制御する再生制御用のコンピュータプログラムであって、該コンピュータを、前記再生手段の少なくとも一部として機能させることを特徴とする再生制御用のコンピュータプログラム。
【請求項１８】
静止画情報を含むコンテンツ情報が、パケット単位で記録されており、
前記コンテンツ情報の断片を夫々格納するパケットを含む複数のパケットからなるオブジェクトデータを格納するオブジェクトデータファイルと、
前記オブジェクトデータの再生シーケンスを規定する再生シーケンス情報を格納する再生シーケンス情報ファイルと
を備えており、
前記オブジェクトデータを構成する複数のパケットは、前記静止画情報及び前記静止画情報の表示を制御するための静止画制御情報のうち少なくとも一方を含む静止画情報セットの断片を、夫々格納するパケットを含み、
少なくとも一部の静止画情報については、前記静止画情報セットのうち一の静止画情報セットに含まれる静止画情報に対する表示制御が、前記静止画情報セットのうち他の静止画情報セットに含まれる静止画制御情報により記述されていることを特徴とする制御信号を含むデータ構造。
【手続補正２】
【補正対象書類名】明細書
【補正対象項目名】０００７
【補正方法】変更
【補正の内容】
【０００７】
【課題を解決するための手段】
本発明の情報記録媒体は上記課題を解決するために、静止画情報を含むコンテンツ情報が、パケット単位で記録される情報記録媒体であって、前記コンテンツ情報の断片を夫々格納するパケットを含む複数のパケットからなるオブジェクトデータを格納するオブジェクトデータファイルと、前記オブジェクトデータの再生シーケンスを規定する再生シーケンス情報を格納する再生シーケンス情報ファイルとを備えており、前記オブジェクトデータを構成する複数のパケットは、前記静止画情報及び前記静止画情報の表示を制御するための静止画制御情報のうち少なくとも一方を含む静止画情報セットの断片を、夫々格納するパケットを含み、少なくとも一部の静止画情報については、前記静止画情報セットのうち一の静止画情報セットに含まれる静止画情報に対する表示制御が、前記静止画情報セットのうち他の静止画情報セットに含まれる静止画制御情報により記述されている。
【手続補正３】
【補正対象書類名】明細書
【補正対象項目名】０００８
【補正方法】変更
【補正の内容】
【０００８】
本発明の情報記録媒体によれば、オブジェクトデータファイルは、例えば情報再生装置により論理的にアクセス可能な単位であると共に静止画情報を含むコンテンツ情報の断片を夫々格納する複数のパケット（例えば、後述のＴＳパケット）からなるオブジェクトデータを格納する。再生シーケンス情報ファイルは、オブジェクトデータの再生シーケンスを規定する再生シーケンス情報（例えば、プレイリスト情報）を格納する。また例えば、情報記録媒体が備えるオブジェクト情報ファイルは、多重化される複数のパケットと、複数のコンテンツ情報との対応関係を定義する対応定義情報（例えば、後述のＥＳマップテーブル並びにこれに含まれるＥＳ＿ＰＩＤ（ＥＳパケットＩＤ）やＥＳアドレス情報、或いはＡＵテーブル等）を格納する。
【手続補正４】
【補正対象書類名】明細書
【補正対象項目名】００１５
【補正方法】変更
【補正の内容】
【００１５】
本発明の情報記録媒体の一態様では、前記静止画情報セットは、(i)前記静止画情報、前記静止画制御情報及び前記静止画情報セットの構造を示す構造情報の三者を含む第１の静止画情報セット、(ii)前記静止画制御情報及び前記構造情報の二者を含むと共に前記静止画情報を含まない第２の静止画情報セット、並びに(iii)前記静止画情報及び前記構造情報の二者を含むと共に前記静止画制御情報を含まない第３の静止画情報セットのうち、該第１及び第３の静止画情報セットの少なくとも一方と前記第２の静止画情報セットとを含んでなる。
【手続補正５】
【補正対象書類名】明細書
【補正対象項目名】００４３
【補正方法】変更
【補正の内容】
【００４３】
本発明の情報記録媒体の他の態様では、前記コンテンツ情報として、一連のコンテンツをなす前記静止画情報を含む複数のコンテンツ情報が前記パケット単位で多重記録され、前記オブジェクトデータの再生を制御するための再生制御情報として、前記多重化される複数のパケットと前記複数のコンテンツ情報との対応関係を定義する対応定義情報を格納するオブジェクト情報ファイルを備え、前記静止画情報セットは、前記静止画情報セットの構造を示す構造情報を含む。
この態様によれば、再生時には、対応定義情報に基づいて、複数のコンテンツのうち所望の一又は複数のコンテンツ情報を選択的に再生可能となり、この際、再生シーケンス情報に基づいて、当該再生を予定された再生シーケンス通りに実行できる。更に、オブジェクトデータファイル内において、構造情報に先ずアクセスすれば、その内容に従って、この構造情報を含む静止画情報セットに含まれる静止画情報や静止画制御情報を取得できる。
本発明の情報記録装置は上記課題を解決するために、情報記録媒体上に、静止画情報を含む複数のコンテンツ情報を、パケット単位で記録する情報記録装置であって、前記コンテンツ情報の断片を夫々格納するパケットを含む複数のパケットからなるオブジェクトデータを格納するオブジェクトデータファイルを記録する第１記録手段と、前記オブジェクトデータの再生シーケンスを規定する再生シーケンス情報を格納する再生シーケンス情報ファイルを記録する第２記録手段とを備えており、前記オブジェクトデータを構成する複数のパケットは、前記静止画情報及び前記静止画情報の表示を制御するための静止画制御情報のうち少なくとも一方を含む静止画情報セットの断片を、夫々格納するパケットを含み、少なくとも一部の静止画情報については、前記静止画情報セットのうち一の静止画情報セットに含まれる静止画情報に対する表示制御が、前記静止画情報セットのうち他の静止画情報セットに含まれる静止画制御情報により記述されている。
【手続補正６】
【補正対象書類名】明細書
【補正対象項目名】００４６
【補正方法】変更
【補正の内容】
【００４６】
本発明の情報記録方法は上記課題を解決するために、情報記録媒体上に、静止画情報を含む複数のコンテンツ情報を、パケット単位で記録する情報記録方法であって、前記コンテンツ情報の断片を夫々格納するパケットを含む複数のパケットからなるオブジェクトデータを格納するオブジェクトデータファイルを記録する第１記録工程と、前記オブジェクトデータの再生シーケンスを規定する再生シーケンス情報を格納する再生シーケンス情報ファイルを記録する第２記録工程とを備えており、前記オブジェクトデータを構成する複数のパケットは、前記静止画情報及び前記静止画情報の表示を制御するための静止画制御情報のうち少なくとも一方を含む静止画情報セットの断片を、夫々格納するパケットを含み、少なくとも一部の静止画情報については、前記静止画情報セットのうち一の静止画情報セットに含まれる静止画情報に対する表示制御が、前記静止画情報セットのうち他の静止画情報セットに含まれる静止画制御情報により記述されている。
【手続補正７】
【補正対象書類名】明細書
【補正対象項目名】００４９
【補正方法】変更
【補正の内容】
【００４９】
本発明の情報再生装置は上記課題を解決するために、上述した本発明の情報記録媒体（その各種態様も含む）から前記記録されたコンテンツ情報を再生する情報再生装置であって、前記情報記録媒体から情報を読み取る読取手段と、該読取手段により読み取られた情報に含まれる前記再生シーケンス情報に基づいて、前記読取手段により読み取られた情報に含まれる前記オブジェクトデータを再生する再生手段とを備える。
【手続補正８】
【補正対象書類名】明細書
【補正対象項目名】００５０
【補正方法】変更
【補正の内容】
【００５０】
本発明の情報再生装置によれば、光ピックアップ、復調器等の読取手段により、情報記録媒体から情報をパケット単位等で読み取る。そして、システムコントローラ、デマルチプレクサ、デコーダ等の再生手段により、この読み取られた情報に含まれる再生シーケンス情報に基づいて、或いは例えば再生制御情報及び再生シーケンス情報に基づいて、この読み取られた情報に含まれるオブジェクトデータを再生する。従って、上述した本発明の情報記録媒体に多重記録されたコンテンツ情報を、一連のコンテンツ情報として適切に再生できる。この際特に、比較的データ量の大きいビットマップやＪＰＥＧ等の静止画情報は効率的に再生可能とされ、再生処理における負担増加は効果的に抑制されている。
【手続補正９】
【補正対象書類名】明細書
【補正対象項目名】００５４
【補正方法】変更
【補正の内容】
【００５４】
本発明の情報再生装置は上記課題を解決するために、上述した本発明の情報記録媒体（その各種態様も含む）から前記記録されたコンテンツ情報を再生する情報再生方法であって、前記情報記録媒体から情報を読み取る読取工程と、該読取工程により読み取られた情報に含まれる前記再生シーケンス情報に基づいて、前記読取工程により読み取られた情報に含まれる前記オブジェクトデータを再生する再生工程とを備える。
【手続補正１０】
【補正対象書類名】明細書
【補正対象項目名】００５５
【補正方法】変更
【補正の内容】
【００５５】
本発明の情報再生方法によれば、読取工程により、情報記録媒体から情報をパケット単位等で読み取る。そして、再生工程により、この読み取られた情報に含まれる再生シーケンス情報に基づいて、或いは例えば再生制御情報及び再生シーケンス情報に基づいて、この読み取られた情報に含まれるオブジェクトデータを再生する。従って、上述した本発明の情報記録媒体に多重記録されたコンテンツ情報を、一連のコンテンツ情報として適切に再生できる。この際特に、比較的データ量の大きいビットマップやＪＰＥＧ等の静止画情報は効率的に再生可能とされ、再生処理における負担増加は効果的に抑制されている。
【手続補正１１】
【補正対象書類名】明細書
【補正対象項目名】００６３
【補正方法】変更
【補正の内容】
【００６３】
本発明の記録制御用のコンピュータプログラムは上記課題を解決するために、上述した本発明の情報記録装置（但し、その各種態様も含む）に備えられたコンピュータを制御する記録制御用のコンピュータプログラムであって、該コンピュータを、前記第１記録手段及び前記第２記録手段の少なくとも一部として機能させる。
【手続補正１２】
【補正対象書類名】明細書
【補正対象項目名】００６９
【補正方法】変更
【補正の内容】
【００６９】
本発明の制御信号を含むデータ構造は上記課題を解決するために、静止画情報を含む複数のコンテンツ情報が、パケット単位で多重記録されており、前記コンテンツ情報の断片を夫々格納するパケットを含む複数のパケットからなるオブジェクトデータを格納するオブジェクトデータファイルと、前記オブジェクトデータの再生シーケンスを規定する再生シーケンス情報を格納する再生シーケンス情報ファイルとを備えており、前記オブジェクトデータを構成する複数のパケットは、前記静止画情報及び前記静止画情報の表示を制御するための静止画制御情報のうち少なくとも一方を含む静止画情報セットの断片を、夫々格納するパケットを含み、少なくとも一部の静止画情報については、前記静止画情報セットのうち一の静止画情報セットに含まれる静止画情報に対する表示制御が、前記静止画情報セットのうち他の静止画情報セットに含まれる静止画制御情報により記述されている。